(57)【要約】      （修正有）【課題】操作性が良く、重量も比較的軽く、切断や破断による不具合が発生しても、事故につながらないような工夫を施したペット用のリードを提供する。【解決手段】ペット装具に対して取り付ける第１の装具取付金具１１０と、第１のリード本体１２０と、第１の引手取付金具１３０と、引手１４０を備えた第１のリードセットと、ペット装具に対して取り付ける第２の装具取付金具２１０と、第２のリード本体２２０と、第２の引手取付金具２３０と、引手２４０を備えた第２のリードセットを備え、すべての要素が二重化されている。第１のリード本体１２０と第２のリード本体２２０が分離している構成も可能であるが、紐体である第２のリード本体２２０を、金属チェーンである第１のリード本体１２０を構成する金属輪の並びにおいて、１または複数個おきに蛇行して金属輪をくぐらせ、両者を絡めて連結する。【選択図】図２
2017060452.tif 000002
【特許請求の範囲】
【請求項１】
ペット装具に対して取り付ける第１の装具取付金具と、前記第１の装具取付金具につながる第１のリード本体と、前記第１のリード本体につながる第１の引手取付金具と、前記第１の引手取付金具につながる引手を備えた、第１のリードセットと、
ペット装具に対して取り付ける第２の装具取付金具と、前記第２の装具取付金具につながる第２のリード本体と、前記第２のリード本体につながる第２の引手取付金具と、前記第２の引手取付金具につながる引手を備えた、第２のリードセットを備え、
すべての要素を二重化したことを特徴とするペット用リード。
【請求項２】
前記第１のリード本体か前記第２のリード本体のいずれか一方を紐体とし、他方を金属チェーンとした請求項１に記載のペット用リード。
【請求項３】
前記第１のリード本体と前記第２のリード本体において、前記紐体を、前記金属チェーンを構成する金属輪の並びにおいて、１または複数個おきに蛇行して前記金属輪をくぐらせ、両者を絡めて連結したことを特徴とする請求項２に記載のペット用リード。
【請求項４】
前記紐体の任意の複数の箇所において、前記金属輪をくぐらない大きさのカシメ部材を取り付けたことを特徴とする請求項３に記載のペット用リード。
【請求項５】
前記第１のリード本体と前記第２のリード本体の連結において、前記紐体を前記金属輪にくぐらせた最先端の位置と、前記第１の装具取付金具および前記第２の装具取付金具までの距離が、前記ペットの首の前記ペット装具と胴の前記ペット装具の両者に分離できる程度の距離が確保されたものである請求項３または４に記載のペット用リード。
【発明の詳細な説明】
【技術分野】
【０００１】
本発明は、犬等のペットを繋ぐためのリードに関する。特に、リードの各部がすべて二重化され、かつ、扱いやすい構成にまとめられたリードに関する。
【背景技術】
【０００２】
従来、犬等のペットを散歩させたり繋いでおいたりする際には、ペットに取り付けた首輪にリードの先端を結合した状態で使用し、リードの他端側を持ち手として利用者が把持したり、柱や柵などに繋いでペットの行動範囲を制限したりする用途に用いられる。
リードの形状は、平帯状、より合わせ紐状、鎖状などが一般的である。ペットの運動を過度に拘束したり摩擦を与えたりしないように柔軟性を付与し、さらには引き紐にゴムなどにより伸縮機能を持たせたり、弛み過ぎないように巻き取り機構を付加したものなどもある。
従来のリードの素材としては、主たる素材として、繊維紐、革紐、金属チェーン、プラスチック繊維などの利用が多い。繊維紐や革紐は比較的丈夫である上、適度に柔らかく軽いために多用されてきた。繊維紐や革紐をペットの体格に合わせた幅、長さに合わせて構成し、その端部にペットの首や胴に合わせて装着するためのバックルや環状金具を取り付けたものが多い。
【０００３】
リードも発展を続けており、様々な開発がなされている。
例えば、ＬＥＤ発光素子を内蔵し、夜間での視認性を高めたリードも開発されている。
また、例えば、長さの調節機構を備え、係留場所の環境に応じてリードの長さを動的に調整できるものなどが知られている。
【０００４】
【特許文献１】特開２００２−２０４６２８号公報
【特許文献２】特開２００９−１８９３３２号公報
【発明の開示】
【発明が解決しようとする課題】
【０００５】
繊維紐や革紐は、金属製のチェーンに比べて軽く柔らかいため、ペット及び人にとって操作性がよいという利点を有している。
しかし、ペットである犬などが噛みついて、繊維紐や革紐の一部が弱体化して時には切断するなどの問題があり、また引く力の強い大型のペットの場合には、強度的に十分でない恐れがあった。
また、リードは一般に屋外で使用されるため、耐候性および耐久性を有している必要があるが、革紐や繊維紐では、経年変化が比較的大きく、耐候性および耐久性が低いという問題点もあった。
【０００６】
次に、金属製のものであれば、繊維紐や革紐に比べて、強度が大きく、耐久性も大きいため、噛みつきぐせがあるペットや大型犬に対しては効果的であるとされてきた。
しかしながら、金属製のチェーンは、金属疲労や錆びなどにより突然破断するという事故が起こり得ることが知られている。また、金属製のチェーンは重く、またチェーン自体が絡まりやすく可動域が小さくなってペットが身動きしにくくなったり、さらにペットの足にも絡まったりしやすいと言う問題があった。
【０００７】
このように、繊維紐、革紐、金属チェーンのいずれも、それぞれ優れた点があるがデメリットもあり一長一短であった。特にデメリットとしては、いずれの素材であっても切断や破断という問題があり、リードはどこか１ヶ所でも切断または破断してしまうと、ペットの行動を制約できず、ペットを制御できなくなったりペットが逃走したりする恐れがあった。
上記した特開２００２−２０４６２８号公報のものは、発光紐１のコイル３ｂはリードではなく自由端でありペットを係留しておらずリード８が切れればペットが逃走してしまう。また、特開２００９−１８９３３２号公報のものも紐のリード２が切断すると全体が解けてしまうものであった。
もし、切断や破断がないように頑丈で大径の金属チェーンとすると、確かに切断や破断の可能性はかなり小さくなるものの、重量が大きくなってしまいペットの行動を過剰に制約してしまい、ペットの健康を害することもある。また、重量が大きいと利用者自身が扱うにも不便である。
【０００８】
そこで、本発明は、上記問題点に鑑み、操作性が良く、ペットにも優しいものとしつつ、もし切断や破断による不具合が発生しても、事故につながらないような工夫を施したペット用のリードを提供することを目的とする。
【課題を解決するための手段】
【０００９】
上記課題を解決するために、本発明は以下の構成を備える。なお、以下に記載の構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１０】
本発明のペット用リードは、すべての要素を二重化したことを特徴とするペット用リードである。つまり、ペット装具に対して取り付ける第１の装具取付金具と、前記第１の装具取付金具につながる第１のリード本体と、前記第１のリード本体につながる第１の引手取付金具と、前記第１の引手取付金具につながる引手を備えた、第１のリードセットと、ペット装具に対して取り付ける第２の装具取付金具と、前記第２の装具取付金具につながる第２のリード本体と、前記第２のリード本体につながる第２の引手取付金具と、前記第２の引手取付金具につながる引手を備えた、第２のリードセットを備えた構成である。
上記構成により、ペット用リードのどこかの箇所が破断してしまうという不具合が発生したとしても、すべての要素が二重化されているので、破断せずに残った他の要素が繋ぎ止める働きを果たし、ペットの逃走などの事故の発生を防止できる。
【００１１】
ここで、上記構成において、第１のリード本体、第２のリード本体の素材は同種同士または異種同士の組み合わせが可能である。
同種同士としては、両者とも繊維紐、両者とも革紐、両者とも金属製チェーンという組み合わせが可能である。二重化されているので一方が切断または破断しても他方が残っており、リード本体としての機能を維持できる。
【００１２】
また、異種同士の組み合わせとしては、例えば、いずれか一方を紐体とし、他方を金属チェーンとすることができる。リード本体は、構造的強度を重視すれば金属チェーンであることが好ましいが、第１のリード本体、第２のリード本体が両方とも金属チェーンであれば、通常の金属チェーンに比べて約２倍の重量となり、ペットの負担、リードを持つ利用者の負担が大きくなってしまう。また錆び付きの進行によるチェーンの破断は同時に起こる可能性がある。一方、第１のリード本体、第２のリード本体を両方とも皮革製や繊維製の紐体とすれば、重量に関する負担が小さく抑えられるが、リード本体に対するペットの噛み付きや風雨の影響などの劣化により切断してしまう不具合が金属チェーンに比べると大きくなってしまう。そこで、両者のメリットを組み合わせる形で、一方を金属製チェーン、他方を紐体とする工夫があり得る。このように、一方を金属製チェーン、他方を紐体とすれば、重量は金属チェーン１本の場合の重量とは大きくは変わらないが、二重化されている分、強度は大きくなる。また、異なる素材であるので、紐体が劣化する要因（ペットの噛み付き等）と、金属チェーンが劣化する要因（錆付きや温度変化）などが異なるため、両者が同時に切断、破断してしまうリスクが減少する。
【００１３】
ここで、第１のリードセットと第２のリードセットが二重化され、両者が自由に分離した状態であれば、散歩中にリードセット間に何らかの異物が入り込んだり、ペットの足や尾がリードセット間に入り込んで絡まり合ったりなどの不具合が発生し得る。また、ペットが紐体のみに噛み付いて、やがて紐体が切断してしまう場合もあり得る。
そこで、これらの不具合発生を防止するため、第１のリード本体と第２のリード本体とをまとめる工夫がある。例えば、第１のリード本体と第２のリード本体において、紐体を金属チェーン自体の輪を利用してまとまる。つまり、金属チェーンを構成する金属輪の並びにおいて、１または複数個おきに紐体を金属輪の中を蛇行してくぐらせて行けば、両者を絡めて連結することができる。このように両者がバランス良く一体化するため、両者が分離せず、何らかの異物が入り込んだり、ペットの足や尾がリードセット間に入り込んで絡まり合ったりすることがなく、また、金属チェーンがあるためペットが紐体のみを噛み付きにくくなる。
【００１４】
ここで、金属チェーンと紐体との蛇行連結した構成において、紐体の一部が切断してしまった場合に起こり得る状況を想定してみる。
金属チェーンを構成する金属輪の並びにおいて、１または複数個おきに紐体を金属輪の中をくぐらせて蛇行させた構成とした場合、紐体の一部が切断してしまった場合には、その切断箇所が紐体の新たな自由端となってしまい、紐体が金属チェーンから外れてしまう。
そこで、紐体の任意の複数の箇所において、金属輪をくぐらない大きさのカシメ部材を取り付ける工夫がある。カシメ部材が紐体の適宜な箇所に存在すれば、カシメ部材は金属輪を通過できないため、切断箇所が自由端となってもカシメ部材が金属輪に対して固定されるため、紐体全体が金属チェーンから外れることがなくなる。
【００１５】
次に、蛇行連結する位置やカシメの位置について検討してみる。
第１のリード本体と第２のリード本体の蛇行連結において、リード本体の先端付近まで両者を蛇行させてまとめてしまうと、先端まで一体化してしまう。そうなれば、先端近くにおいて、一方をペットの首輪、他方をペットの胴輪というように分離した箇所に取り付けることができなくなり、かえって不便である。そこで、リード本体の先端付近は、両者を分離させておくため、紐体が金属輪をくぐる最先端の位置をリード本体の先端とはせず、第１の装具取付金具および第２の装具取付金具までの距離を適度に確保できる位置に抑えてマージンを確保しておく。適度なマージンが確保できれば、一方をペットの首のペット装具に取り付け、他方をペットの胴のペット装具に取り付けられる。
【発明の効果】
【００１６】
本発明のペット用リードによれば、ペット用リードのどこかの箇所が破断してしまうという不具合が発生したとしても、すべての要素が二重化されているので、破断せずに残った他の要素が繋ぎ止める働きを果たし、ペットの逃走などの事故の発生を防止できる。
第１のリード本体、第２のリード本体のいずれか一方を紐体とし、他方を金属チェーンとすれば両方の素材が持つメリットを組み合わすことができ、両方の素材が持つデメリットを補完し合うこともできる。
金属チェーンを構成する金属輪の並びにおいて、１または複数個おきに紐体を金属輪の中をくぐらせて通して行けば、両者をまとめて連結することができる。なお、紐体の適宜な箇所に金属輪を通過できないカシメ部材を取り付ければ、紐体が切断してもカシメ部材が金属輪に対して固定されるため、紐体全体が金属チェーンから外れることがなくなる。
【図面の簡単な説明】
【００１７】
【図１】実施例１にかかるペット用リード１の構成例を簡単に示す図である。
【図２】実施例２にかかるペット用リード２の構成例を簡単に示す図である。
【図３】カシメ部材２５０を途中の任意の箇所にも設けた構成例を示す図である。
【図４】カシメ部材２５０を途中の任意の箇所に設けた構成において、紐体の一部が切断してしまった状況を示す図である。
【図５】特開２００９−１８９３３２号公報に開示された従来のリードを簡単に示す図である。
【図６】特開２００２−２０４６２８号公報に開示された従来のリードを簡単に示す図である。
【発明を実施するための最良の形態】
【００１８】
以下、図面を参照しつつ、本発明のペット用リードの実施例を説明する。ただし、本発明の範囲は以下の実施例に示したものに限定されるものではないことは言うまでもない。
以下、実施例１にかかる本発明のペット用リードとして、すべての要素を二重化した構成であり、第１のリード本体が金属チェーンで、第２のリード本体が紐体であるペット用リードである構成例（分離型）を示す。
なお、金属チェーンである第１のリード本体の金属輪に対して、紐体である第２のリード本体をくぐらせて両者を絡めてまとめる構成例（蛇行連結型）は、実施例２において示す。
【実施例１】
【００１９】
図１は、実施例１にかかる本発明のペット用リード１の構成例を簡単に示す図である。
図１に示すように、実施例１にかかるペット用リード１は、第１のリードセット１００、第２のリードセット２００を備えたものとなっている。
【００２０】
第１のリードセット１００は、第１の装具取付金具１１０、第１のリード本体１２０、第１の引手取付金具１３０、引手１４０の各要素を備えている。
第２のリードセット２００は、第２の装具取付金具２１０、第２のリード本体２２０、第２の引手取付金具２３０、引手２４０の各要素を備えている。
このように、第１のリードセット１００および第２のリードセット２００は、それぞれ対応する部材を備えており、ペット用リード１全体としては各要素が二重化された構成となっている。
【００２１】
第１の装具取付金具１１０および第２の装具取付金具２１０は、ペット装具（図示せず）に対して取り付ける金具である。金具の種類としては多様なものがあり得る。ペット装具側に設けられた部材との組み合わせで決めれば良い。いわゆるナスカン、吊りカン、平カン、Ｄカン、サイドリリースタイプのバックル、フロントリリースタイプのバックルなど多様なものがある。図１の構成例では、第１の装具取付金具１１０および第２の装具取付金具２１０とも、ナスカンタイプの金具となっている。
【００２２】
第１のリード本体１２０は、第１の装具取付金具１１０につながるリード本体であり、この構成例では金属チェーンとなっている。ペットの大きさに合わせて金属チェーンの太さ、長さを決めれば良い。
第１の装具取付金具１１０と第１のリード本体１２０との接続は両方の部材の構造に応じて適宜選択すれば良い。この例ではナスカンの輪と金属チェーンの輪の間を丈夫なリングで接続されている。
【００２３】
第２のリード本体２２０は、第２の装具取付金具２１０につながるリード本体であり、この構成例では繊維製の紐体となっている。第２のリード本体２２０の長さは第１のリード本体１２０に合わせたものとする。
第２の装具取付金具２１０と第２のリード本体２２０との接続は両方の部材の構造に応じて適宜選択すれば良い。この例では、紐体をナスカンの輪に通しいれてから折り返して輪を作り、カシメ部材で固定してナスカンと紐体を接続したものとなっている。
【００２４】
なお、この構成例では、上記のように、第１のリード本体１２０と第２のリード本体２２０の素材を、一方が金属チェーン、他方が繊維製の紐体で異種同士の組み合わせの例としたが、同種同士の場合もあり得る。例えば、両者とも繊維紐、両者とも革紐、両者とも金属製チェーンという組み合わせであっても良い。
【００２５】
第１の引手取付金具１３０は、リード本体１２０と引手１４０との間を接続する金具である。
第２の引手取付金具２３０は、リード本体２２０と引手２４０との間を接続する金具である。
それぞれ、金具の種類としては多様なものがあり得る。リード本体と引手側に設けられた部材との組み合わせで決めれば良い。第１の装具取付金具１１０や第２の装具取付金具２１０と同様、いわゆるナスカン、吊りカン、平カン、Ｄカン、サイドリリースタイプのバックル、フロントリリースタイプのバックルなど多様なものがある。図１の構成例では、第１の引手取付金具１３０および第２の引手取付金具２３０とも、ナスカンタイプの金具となっている。
【００２６】
なお、第１のリード本体１２０と第１の引手取付金具１３０との接続は両方の部材の構造に応じて適宜選択すれば良く、この例では、両者の間を２つのリングで接続している。
また、第２のリード本体２２０と第２の引手取付金具２３０との接続も両方の部材の構造に応じて適宜選択すれば良い。この例では、両者の間を２つのリングで接続しており、紐体を１つのリングの輪に通し入れてから折り返して輪を作り、カシメ部材で固定してリングと紐体を接続したものとなっている。もう一方のリングはナスカンと接続される。
【００２７】
第１の引手１４０および第２の引手２４０は、利用者が把持する部材である。利用者が把持しやすいものであれば特に限定はされないが、一般には布製、革製、プラスチック製のものなどが多く、輪になっており手首を通し入れて把持するものが多い。
【００２８】
図１に示した構成では、ペット用リード１は、第１のリードセット１００と第２のリードセット２００を備えた構成となっており、それぞれ、装具取付金具、リード本体、引手取付金具、引手の各要素が二重化されている。ペット用リード１のどこかの箇所が破断してしまうという不具合が発生したとしても、すべての要素が二重化されているので、破断せずに残った他の要素が繋ぎ止める働きを果たし、ペットの逃走などの事故の発生を防止できる。
また、第１のリード本体が金属製チェーン、第２のリード本体が紐体であり、両方の素材が持つメリットを組み合わすことができ、両方の素材が持つデメリットを補完し合うこともできる。
【実施例２】
【００２９】
実施例２にかかるペット用リード２を説明する。
実施例２にかかるペット用リード２はリード本体１２０に対してリード本体２２０を絡ませてまとめた蛇行連結型の構成例である。
実施例２にかかるペット用リード２は、実施例１と同様、第１のリードセット１００と第２のリードセット２００を備え、それぞれ、装具取付金具、リード本体、引手取付金具、引手の各要素が二重化された構成であるが、金属チェーンである第１のリード本体の金属輪に対して、紐体である第２のリード本体をくぐらせて両者を絡めてまとめた構成例となっている。
【００３０】
図２は、実施例２にかかるペット用リード２の構成例を簡単に示す図である。
図２に示すように、実施例２にかかるペット用リード２も、実施例１に示したペット用リード１と同様、第１のリードセット１００、第２のリードセット２００を備えたものとなっている。
【００３１】
第１のリードセット１００は、第１の装具取付金具１１０、第１のリード本体１２０、第１の引手取付金具１３０、引手１４０の各要素を備えている。
第２のリードセット２００は、第２の装具取付金具２１０、第２のリード本体２２０、第２の引手取付金具２３０、引手２４０の各要素を備えている。なお、この構成例ではカシメ部材２５０も一部に設けられている。
このように、第１のリードセット１００および第２のリードセット２００は、それぞれ対応する部材を備えており、ペット用リード１全体としては各要素が二重化された構成となっている。
【００３２】
図２に示した、第１の装具取付金具１１０、第１の引手取付金具１３０、引手１４０、さらに、第２の装具取付金具２１０、第２の引手取付金具２３０、引手２４０の各構成要素は、実施例１に示した構成要素と同様で良く、ここでは説明を省略する。
また、第１のリード本体１２０は金属チェーンであり、第２のリード本体２２０は繊維製の紐体であり、実施例１に示したものと同様の点についての説明は省略し、実施例１では示されていない構成、特に両者の蛇行連結について詳しく説明する。
【００３３】
第１のリード本体１２０は金属チェーンであり、第２のリード本体２２０は紐体であるが、第１のリード本体１２０の金属チェーンを構成する金属輪の内径は、第２のリード本体２２０の紐体の外径よりも大きくなっており、第２のリード本体２２０の紐体を第１のリード本体１２０の金属輪をくぐらせることができるものとなっている。
【００３４】
図２に示すように、第１のリード本体１２０の金属チェーンを構成する金属輪の並びにおいて、第２のリード本体２２０の紐体を蛇行させ、１または複数個おきに金属輪の中をくぐらせて通して両者を絡めて連結せしめる。
このように、第１のリード本体１２０の金属輪に対して第２のリード本体２２０を蛇行させつつくぐらせれば、異種の素材の組み合わせで有りながら、両者が一体としてまとまる。
【００３５】
第１のリードセットと第２のリードセットが自由に分離した状態であれば、散歩中にリードセット間に何らかの異物が入り込んだり、リードセット同士が不規則に絡まり合ったり、ペットの足や尾がリードセット間に入り込んで絡まり合ったりすることがあり得るが、図２に示した実施例２の構成によれば、両者が機能的に一体となっており、そのような問題がない。
【００３６】
図２の構成例では、カシメ部材２５０が上下２箇所に設けられている。
カシメ部材２５０は、第１のリード本体１２０の金属チェーンの金属輪の内径よりも大きな外径を持ち、金属輪をくぐることができないものとなっている。つまり、カシメ部材２５０が設けられておれば、第１のリード本体１２０に対する第２のリード本体２２０の移動が制限されることとなる。第１のリード本体１２０に対して第２のリード本体２２０が蛇行して連結しているだけでは、両者が相対的にずれ動くが、カシメ部材２５０があれば移動が制限される。
【００３７】
次に、カシメ部材２５０が、上下２ヶ所のみならず、途中の任意の箇所にも設けた構成について説明する。
図３は、カシメ部材２５０を途中の任意の箇所にも設けた構成例を示す図である。
図３に示すように、カシメ部材２５０が、上下２ヶ所のみならず、途中の任意の箇所にも設けられている。かならずしも紐体が金属輪をくぐる度にカシメ部材２５０を取り付ける必要はなく、任意の箇所にてカシメ部材２５０を適宜設けることで良い。
【００３８】
カシメ部材２５０を途中の任意の箇所に設けた構成とした場合のメリットについて述べる。
カシメ部材２５０を途中の任意の箇所に設けた場合のメリットは、紐体の一部が切断してしまった場合でもペット用リード２がリードとしての機能を維持しやすい点である。
図４は、カシメ部材２５０を途中の任意の箇所に設けた構成において、紐体の一部が切断してしまった状況を示す図である。図４に示すように、カシメ部材２５０が紐体の適宜な箇所に存在すれば、カシメ部材２５０は金属輪を通過できないため、切断箇所が自由端となってもカシメ部材２５０が金属輪に対して引っ掛かって固定されるため、紐体である第２のリード本体２２０はそのカシメ部材２５０の位置で一時的に固定され、第２のリード本体２２０全体が金属チェーンである第１のリード本体１２０から外れることがなくなる。
【００３９】
次に、第１のリード本体１２０と第２のリード本体２２０の連結における先端部分の取扱いについて述べる。
第１のリード本体１２０と第２のリード本体２２０の連結において、リード本体の先端まで両者をまとめてしまうと、ペットの首輪と胴輪のように分離した箇所に取り付けることができなくなり、かえって不便である。そこで、第１のリード本体１２０と第２のリード本体２２０の先端付近は両者を分離させておくため、紐体が先端からみて最初にくぐる金属輪として、金属チェーン先端付近の金属輪とはせず、数個または十数個ほど後方の金属輪に対してくぐらせれば、第１の装具取付金具および第２の装具取付金具までの距離が適度に確保される。
【００４０】
以上、実施例２に示したペット用リード２は、第１のリードセット１００と第２のリードセット２００を備えた構成となっており、それぞれ、装具取付金具、リード本体、引手取付金具、引手の各要素が二重化されており、重量の増加を招くことなく強度を向上せしめ、たとえ一方が切断または破断しても、他方によりペットを繋ぎ止めておくことができる。
さらに、金属チェーンを構成する金属輪の並びにおいて、１または複数個おきに紐体を金属輪の中をくぐらせて通して蛇行させているので、両者が適度にまとまった状態で連結することができる。また、紐体の適宜な箇所に金属輪を通過できないカシメ部材を取り付ければ、紐体が切断してもカシメ部材が金属輪に対して固定されるため、紐体全体が金属チェーンから外れることがなくなる。
【００４１】
以上、本発明のペット用リード１の好ましい実施例を図示して説明してきたが、本発明の技術的範囲を逸脱することなく種々の変更が可能であることは理解されるであろう。
【産業上の利用可能性】
【００４２】
本発明のペット用リードは、犬等のペットを繋ぐためのリードとして広く適用することができる。
【符号の説明】
【００４３】
１，２  ペット用リードセット
１００  第１のリードセット
１１０  第１のペット装具取付金具
１２０  第１のリード本体
１３０  第１の引手取付金具
１４０  第１の引手
２００  第２のリードセット
２１０  第２のペット装具取付金具
２２０  第２のリード本体
２３０  第２の引手取付金具
２４０  第２の引手
２５０  カシメ部材
【図１】
2017060452.tif 000003
【図２】
2017060452.tif 000004
【図３】
2017060452.tif 000005
【図４】
2017060452.tif 000006
【図５】
2017060452.tif 000007
【図６】
2017060452.tif 000008